(57)【特許請求の範囲】
【請求項１】
テレビジョン放送を受信して再生するテレビジョン受信手段と、
所望のテレビジョン放送の番組の録画を行う録画手段と、
現在地を検出する位置情報取得手段と、
各放送エリアの番組情報を取得する番組情報取得手段と、
予約番組情報が変更できる変更対象期間、又は予約番組情報を変更できない変更対象除外期間を取得する期間取得手段と、
予約番組情報の予約時間と前記変更対象期間又は前記変更対象除外期間とを比較して、前記予約番組情報が変更可能であるか否か判定する変更可否判定手段と、
前記位置情報取得手段からの位置情報から、予約時と異なる放送エリアに移動したと判定されたら、予約を変更するかどうかを判定する変更判定手段と、
前記変更可否判定手段が変更可能であると判定した場合であって、前記変更判定手段が予約を変更すると判定した場合、前記予約番組情報と前記番組情報取得手段で取得された移動先の番組情報とを比較し、該移動先の番組情報中に前記予約番組情報が示す予約番組と同一の番組があれば、前記予約番組情報の変更を行う番組予約変更手段と、
移動期間中かどうかを判定する移動判定手段と、
前記移動判定手段が移動期間中と判定した場合、予約更新を禁止する手段と、
を備えることを特徴とする携帯端末。
【請求項２】
前記移動判定手段は、前記位置情報取得手段の位置検出出力の変化により、移動しているかどうかを判定することを特徴とする請求項１に記載の携帯端末。
【請求項３】
前記変更対象期間又は変更対象除外期間は、日単位又は時間単位に設定可能としたことを特徴とする請求項１または請求項２に記載の携帯端末。
【請求項４】
さらに、移動予定の地域、日時の情報を取得する地域日時取得手段を備え、
前記番組予約変更手段は、前記予約番組情報のうち、前記地域日時取得手段が取得した移動予定の地域、日時の予約番組情報を対象として、前記変更を可能とすることを特徴とする請求項１から請求項３のいずれか一項に記載の携帯端末。
【請求項５】
前記地域日時取得手段は、カレンダー及びスケジュール機能の情報から移動予定の地域、日時の情報を取得することを特徴とする請求項４に記載の携帯端末。
【請求項６】
さらに、予約更新を禁止する期間を設定する手段を備え、
前記番組予約変更手段は、前記予約更新を禁止する期間内では、予約変更を禁止することを特徴とする請求項１から請求項５のいずれか一項に記載の携帯端末。
【請求項７】
コンピュータに、
テレビジョン放送を受信して再生するテレビジョン受信ステップと、
所望のテレビジョン放送の番組の録画を行う録画ステップと、
現在地を検出する位置情報取得ステップと、
各放送エリアの番組情報を取得する番組情報取得ステップと、
予約番組情報が変更できる変更対象期間、又は予約番組情報を変更できない変更対象除外期間を取得する期間取得ステップと、
予約番組情報の予約時間と前記変更対象期間又は前記変更対象除外期間とを比較して、前記予約番組情報が変更可能であるか否か判定する変更可否判定ステップと、
前記位置情報取得ステップからの位置情報から、予約時と異なる放送エリアに移動したと判定されたら、予約を変更するかどうかを判定する変更判定ステップと、
前記変更可否判定ステップで変更可能であると判定された場合であって、前記変更判定ステップで予約を変更すると判定された場合、予約番組情報と、前記番組情報取得ステップで取得された移動先の番組情報とを比較し、予約番組と同一の番組があれば、前記予約番組情報の変更を行う番組予約変更ステップと、
移動期間中かどうかを判定する移動判定ステップと、
前記移動判定ステップで移動期間中と判定された場合、予約更新を禁止するステップと、
を実行するための携帯端末の番組予約変更プログラム。
【発明の詳細な説明】
【技術分野】
【０００１】
本発明は、テレビジョン受信及び予約機能を備えた携帯端末、並びに、携帯端末の番組予約変更プログラムに関する。
【背景技術】
【０００２】
近年の携帯電話端末は多機能化が図られており、インターネットの通信機能、カメラ機能、ＧＰＳ(Global Positioning System)機能、電子マネー機能、テレビジョン受信機能等が備えられている。特に、地上ディジタルテレビジョン放送の１セグメントを使った低解像度の放送（以下、ワンセグ放送と略称する）の開始と共に、テレビジョン受信機能を備えた携帯電話端末の普及が進んでいる。
【０００３】
このように、携帯電話端末でテレビジョン放送を受信する場合、ユーザが他の放送エリアに移動してしまうと、番組予約が正しく実行できなくなってしまうという問題が生じてくる。つまり、携帯電話端末は簡単に携帯できることから、異なる放送エリアの放送局からの放送を受信する可能性が多くなる。各放送局の放送番組は、放送エリア毎に異なっている。このため、携帯電話端末でテレビジョン放送の録画予約を設定した場合には、ユーザが他の放送エリアに移動してしまうと、番組予約が正しく実行できなくなってしまう。
【０００４】
このような問題を解決するために、特許文献１及び特許文献２には、テレビジョン録画機能を備えた携帯端末で、テレビジョン録画予約を行ったとき、予約を行った放送エリアから移動したら、その放送エリアの放送局の番組に予約の変更を行うようにしたものが提案されている。
【特許文献１】特開２００４−２３１１１号公報
【特許文献２】特開２００５−２４４４５号公報
【発明の開示】
【発明が解決しようとする課題】
【０００５】
しかしながら、特許文献１及び特許文献２に示したような従来例では、異なる放送エリアに移動すると、予約番組が全て更新されてしまう。このため、例えば、ユーザが出張等により一時的に移動した場合に、ユーザが出張から戻ってきたときに、再び、番組予約を更新する必要が生じてくる。また、ユーザが戻ってきたときに、再び、番組予約を更新すると、インターネットにより番組情報の取得が行われるため、無駄に通信費が生じてしまう。
【０００６】
本発明は、上述の課題を鑑み、異なる放送エリアに移動したときに、変更が必要な予約番組の更新が行えると共に、変更が不要な予約番組や変更が正しく行えない予約番組についての対処が行えるようにした携帯端末及び携帯端末の番組予約変更プログラムを提供することを目的とする。
【課題を解決するための手段】
【０００７】
上述の課題を解決するために、本発明は、テレビジョン放送を受信して再生するテレビジョン受信手段と、所望のテレビジョン放送の番組の録画を行う録画手段と、現在地を検出する位置情報取得手段、各放送エリアの番組情報を取得する番組情報取得手段と、位置情報取得手段からの位置情報から、予約時と異なる放送エリアに移動したと判定されたら、予約を変更するかどうかを判定する変更判定手段と、を備えることを特徴とする携帯端末である。
上記発明において、さらに、予約番組情報と、番組情報取得手段で取得された移動先の番組情報とを比較し、予約番組と同一の番組があれば、番組予約の更新を行う番組予約変更手段を備えたことを特徴とする。
【０００８】
上記発明において、位置情報取得手段は、基地局の情報から現在地を検出することを特徴とする。
【０００９】
上記発明において、位置情報取得手段は、ＧＰＳの情報から現在地を検出することを特徴とする。
【００１０】
上記発明において、変更判定手段は、入力操作に基づいて、予約を変更するかどうかを判定することを特徴とする。
【００１１】
上記発明において、さらに、変更対象期間又は変更対象除外期間を設定する手段を有し、予約番組情報のうち変更対象期間内の予約番組情報を変更可能とし、又は、予約番組情報のうち変更対象除外期間内の予約番組情報を変更対象から除くことを特徴とする。
【００１２】
上記発明において、変更対象期間又は変更対象除外期間は、日単位又は時間単位に設定可能としたことを特徴とする。
【００１３】
上記発明において、さらに、予約更新を禁止する期間を設定する手段を有し、予約更新を禁止する期間内では、予約変更を禁止することを特徴とする。
【００１４】
上記発明において、さらに、移動期間中かどうかを判定する手段と、移動期間中は予約更新を禁止する手段とを有することを特徴とする。
【００１５】
上記発明において、移動期間中かどうかを判定する手段は、位置情報取得手段の位置検出出力の変化により、移動しているかどうかを判定することを特徴とする。
【００１６】
上記発明において、さらに、移動予定の地域、日時の情報を取得する手段を有し、予約番組情報のうち、移動予定の地域、日時の予約番組情報を対象として、変更可能としたことを特徴とする。
【００１７】
上記発明において、移動予定の地域、日時の情報を取得する手段は、カレンダー及びスケジュール機能の情報から移動予定の地域、日時の情報を取得することを特徴とする。
【００１８】
上記発明において、予約時と異なる放送エリアに移動したことを判定するステップと、予約時と異なる放送エリアに移動したら、予約を変更するかどうかを判定するステップと、移動先の番組情報を取得するステップと、予約番組情報と、取得された移動先の番組情報とを比較し、予約番組と同一の番組があれば、番組予約の更新を行うステップとを備えることを特徴とする携帯端末の番組予約変更プログラムである
【発明の効果】
【００１９】
本発明によれば、他の放送エリアに移動したら、移動先の放送エリアの番組情報を参照して、予約番組と同一の番組があるかどうかを判定し、予約番組と同一の番組があれば、その予約番組の更新を行うことで、番組予約を変更できる。番組予約の更新を行う際に、移動した地域の番組に予約変更するかどうかを問い合わせるようにし、予約変更をするかどうかをキー操作により選択できる。これにより、異なる放送エリアに移動したときに、変更が必要な予約番組については予約番組の更新を行い、変更が不要な予約番組や変更が正しく行えない予約番組については、予約番組の変更を行わないようにすることができ、変更が不要な予約番組や変更が正しく行えない予約番組についての対処が行える。
【発明を実施するための最良の形態】
【００２０】
以下、本発明の実施の形態について図面を参照しながら説明する。
＜第１の実施形態＞
図１は、本発明が適用できる携帯電話端末１の外観構成を示すものである。本発明が適用できる携帯電話端末１は、電話機能、テレビジョン受信機能を有し、その他に、インターネットの通信機能、カメラ機能、ＧＰＳ(Global Positioning System)機能、等を必要に応じて備えた多機能型の携帯電話端末である。また、この例では、携帯電話端末１は折り畳み自在の構造となっている。図１（Ａ）は、携帯電話端末１の内側となる部分の各部の配置を示し、図１（Ｂ）は、外側となる各部の配置を示すものである。
【００２１】
図１（Ａ）に示すように、携帯電話端末１の内側となる部分の下端には、マイクロホン１１が配置される。携帯電話端末１の内側となる部分の上端には、スピーカ１２が配置される。マイクロホン１１及びスピーカ１２は、電話使用時に送受話を行うものである。
【００２２】
また、携帯電話端末１の内側となる部分の上方には、液晶ディスプレイ１３が配置される。液晶ディスプレイ１３には、各種の文字や画像が表示される。すなわち、電話利用時には、液晶ディスプレイ１３に、着信や送信の電話番号や住所録が表示される。また、インターネットを利用時には、液晶ディスプレイ１３に、インターネットのビューアの表示画面や、送受信メールが表示される。また、カメラ撮影時には、液晶ディスプレイ１３がビューファインダとして用いられる他、撮影したカメラ画像が液晶ディスプレイ１３に表示される。また、ＧＰＳナビゲーション時には、液晶ディスプレイ１３に、地図画面が表示される。また、テレビジョン受信時には、液晶ディスプレイ１３に、受信したテレビジョン放送の画面が表示される。
【００２３】
携帯電話端末１の内側となる部分の下方には、テンキー（＊キーや＃キーを含む）１４、カーソルキー１５、決定キー１６、機能キー１７ａ〜１７ｄが配置される。テンキー１４は、電話番号の入力、メールや電話帳作成時の文字入力等に用いられる。カーソルキー１５は、液晶ディスプレイ１３に表示されるカーソルを移動させて、各種の選択入力等を行うのに用いられる。決定キー１６は、選択実行を行うのに用いられる。機能キー１７ａ〜１７ｄは、状態やモードに応じて、各種の入力を行うのに用いられる。
【００２４】
携帯電話端末１の外側には、図１（Ｂ）に示すように、カメラ部１８、アンテナ１９が配置される。カメラ部１８は、風景を撮影したりするのに利用される他、二次元バーコードの入力等に利用される。アンテナ１９は、テレビジョン放送の受信のためのアンテナである。
【００２５】
図２は、本発明が適用できる携帯電話端末１の主要部の内部構成を示すものである。図２において、制御部２１は、ＣＰＵ(Central Processing Unit)等からなり、携帯電話端末の全体の動作の制御を行っている。
【００２６】
プログラムメモリ２２には、各種のプログラムが保存されている。このプログラムメモリ２２に保存されているプログラムとしては、テレビジョン放送の再生や録画を制御するためのテレビジョンアプリケーションプログラム２３が含まれている。
【００２７】
汎用メモリ２４には、各種のデータが保存される。この汎用メモリ２４に保存されているデータとしては、テレビジョンの録画の予約番組情報２５、録画データ２６、カレンダー情報２７が含まれている。
【００２８】
操作部２８は、ユーザからの入力操作が行われる。操作部２８には、テンキー１４や、カーソルキー１５、決定キー１６、機能キー１７ａ〜１７ｄ（図１参照）等が含まれる。
【００２９】
表示部２９は、液晶ディスプレイ１３（図１参照）からなり、表示部２９は、各種の文字や画像の表示に用いられる。表示処理部３０は、表示部２９の表示制御を行っている。
【００３０】
音声処理部３１は、入力音声信号や出力音声信号の処理を行っている。音声入力部３２及び音声出力部３３は、マイクロホン１１及びスピーカ１２に対応しており、電話利用時に、送受話を行う場合等に用いられる。
【００３１】
通信部３５は、基地局との間で、電波の送受信を行って、音声、画像、データ等の通信を行うものである。通信方式としては、ＰＤＣ(Personal Digital Cellular)、ＧＳＭ(Global System for Mobile Communication)、ＣＤＭＡ(Code Division Multiple Access)、ＷＣＤＭＡ(Wideband CDMA)等がある。本発明では、どのような通信方式を用いても良い。通信制御部３９は、基地局との間で通信する信号の制御を行っている。
【００３２】
ＧＰＳ信号処理部３６は、複数の衛星からの電波を受信して、携帯電話端末１の現在地を測位するものである。
【００３３】
ＴＶチューナ３７は、テレビジョン放送の電波を選択受信して、テレビジョン放送信号をデコードするものである。テレビジョン放送としては、地上ディジタルテレビジョン放送の１セグメントを使った低解像度の放送（以下、ワンセグ放送と略称する）が用いられる。
【００３４】
また、本発明の第１の実施形態では、テレビジョン放送を録画することができる。録画データ２６は、汎用メモリ２４に蓄積される。また、移動した放送エリアに応じて、予約番組の更新が行える。このような制御を実現するために、制御部２１には、位置情報取得部４１、番組情報取得部４２、変更判定部４３、番組比較部４４、番組予約更新部４５、ＴＶチューナ制御部４６、予約実行部４７、時計部４８の各機能が設けられる。また、予約変更を行うかどうかの報知が表示部２９に表示され、操作部２８により、予約変更を行うかどうかが設定できる。
【００３５】
次に、本発明の第１の実施形態の動作について、図３を用いて説明する。図３において、５１ａ、５１ｂはテレビジョン放送局を示し、５２ａ、５２ｂは携帯電話の基地局を示している。Ｌ１、Ｌ２は放送局５１ａ、５１ｂの放送エリアを示し、放送エリアＬ１、Ｌ２は、数１０ｋｍ〜数１００ｋｍに及ぶ。Ｍ１、Ｍ２は基地局５２ａ、５２ｂのセルのエリアを示しており、基地局５２ａ、５２ｂのセルのエリアＭ１、Ｍ２は、数１００ｍ〜数ｋｍである。
【００３６】
図３（Ａ）に示すように、放送局５１ａの放送エリアＬ１にいる利用者が、携帯電話端末１で、録画予約を行ったとする。この場合、録画は、放送エリアＬ１内の番組情報に基づいて設定される。
【００３７】
このとき設定した録画は、ユーザが放送エリアＬ１内に留まっていれば、正しく実行されることになる。ところが、図３（Ｂ）に示すように、ユーザが放送エリアＬ１から放送エリアＬ２に移動してしまうと、番組情報が変わってしまうため、正しく実行できなくなってしまう。
【００３８】
そこで、本発明の第１の実施形態では、ユーザが放送エリアＬ１から放送エリアＬ２に移動したら、移動先の放送エリアの番組情報に基づいて、番組予約の更新が行えるようになっている。つまり、ユーザが放送エリアＬ１の範囲内から放送エリアＬ２の範囲内に移動したら、移動先の放送エリアの番組情報を参照して、予約番組と同一の番組があるかどうかを判定し、予約番組と同一の番組があれば、その予約番組の更新を行う。ユーザがどこに移動しているかは、例えば、ＧＰＳの情報や携帯電話のセルのエリアＭ１、Ｍ２の情報から検出できる。これにより、移動先でも、正しく番組予約を行うことができる。
【００３９】
ところが、予約番組を全て更新してしまうと、ユーザが放送エリアＬ２から放送エリアＬ１に戻ってきたときに、再び、番組予約を更新する必要が生じてくる。ユーザが放送エリアＬ２から放送エリアＬ１に戻ってきたときに、再び、番組予約を更新すると、ネットワークにより番組情報（ＥＰＧ(Electronic Program Guide)）情報が取得されるため、無駄に通信費が生じてしまう。
【００４０】
そこで、本発明の第１の実施形態では、番組予約の更新を行う際に、移動した地域の番組に予約変更するかどうかを番組毎に問い合わせるようにし、予約変更をするかどうかを、操作部２８によるキー操作により選択できるようにしている。
【００４１】
例えば、図４（Ａ）に示すように、「大阪」にいるユーザが、「プロ野球」と「ドラマ」と「クイズ」の録画予約を行ったとする。「プロ野球」の録画予約日時は、７月１５日、１９時で、チャンネルが「１５ｃｈ」であり、「ドラマ」の録画予約日時は、７月１７日、２０時で、チャンネルが「１５ｃｈ」であり、「クイズ」の録画予約日時は、７月１８日、１９時で、チャンネルが「１７ｃｈ」であったとする。この場合、携帯電話端末１には、図４（Ａ）に示すように、録画予約が設定される。
【００４２】
ここで、ユーザが７月１５日から７月１７日まで「東京」に出張し、７月１８日には、「大阪」に戻ってくるとする。この場合、「プロ野球」と「ドラマ」を録画するときには、ユーザは「東京」にいるので、録画予約が正しく行われないことになる。また、「クイズ」を録画するときには、ユーザは、「大阪」に戻っているので、録画予約を変更する必要はない。
【００４３】
本発明の第１の実施形態では、ユーザが「大阪」から「東京」に移動すると、移動先の「東京」の放送エリアの番組情報に基づいて、番組予約の更新が行えるようになっている。そして、移動先の「東京」の放送エリアの番組情報を参照して、予約番組と同一の番組があるかどうかを判定し、予約番組と同一の番組があれば、録画予約を変更するようにしている。予約番組と同一の番組がなければ、録画予約は変更できない。また、番組予約の更新を行う際に、移動した地域の番組に予約変更するかどうかを問い合わせるようにし、予約変更をするかどうかをキー操作により選択できる。これにより、図４（Ｂ）に示すように、録画予約の変更ができる。
【００４４】
すなわち、図４（Ｂ）において、「プロ野球」の録画予約については、同一の番組が「東京」の放送エリアで放送されていないので、録画予約の変更はできない。この場合、録画予約変更ができなかったことを示す「バツ」マークが付加される。この「バツ」マークが付加された異なる放送エリアのものについては、例えば録画予約のフラグを０にして録画不能にする。「ドラマ」の録画予約については、「東京」で同一の番組が放送されているので、これに基づいて、チャンネルが「１５ｃｈ」から「２４ｃｈ」に変更される。この場合、録画予約が変更されたことを示す「マル」のマークが付加される。「クイズ」の録画予約については、録画予約のときには、「大阪」に戻っているので、録画予約の変更は不要である。この場合、録画予約の変更を選択しなかったことを示す「三角」のマークが付加される。
【００４５】
このように、本発明の第１の実施形態では、携帯電話端末１のユーザが、異なる放送エリアの間を移動すると、移動先の放送エリアの番組情報に基づいて、番組予約の更新が行えるようになっている。また、番組予約の更新を行う際に、移動した地域の番組に予約変更するかどうかを問い合わせるようにし、キー操作により予約変更をするかどうかを選択できるようにしている。これにより、移動先でも番組予約を正しく行えると共に、変更の必要のない予約は、変更されることはない。
【００４６】
以上のような制御を実現するために、本発明の第１の実施形態では、制御部２１には、図２に示したように、位置情報取得部４１、番組情報取得部４２、変更判定部４３、番組比較部４４、番組予約更新部４５、ＴＶチューナ制御部４６、予約実行部４７、時計部４８の各機能が設けられる。
【００４７】
つまり、番組情報取得部４２は、インターネットにより、通信部３５から番組情報を取得する。これにより、各地域毎の番組情報を得られる。なお、番組情報は、テレビジョン放送波から取得しても良い。
【００４８】
予約実行部４７は、番組予約が行われると、予約番組情報２５を汎用メモリ２４に記憶させる。そして、時計部４８からの時刻情報から、予約時刻になったと判定されると、ＴＶチューナ制御部４６により、テレビジョン放送の録画を実行させる。
【００４９】
また、位置情報取得部４１は、通信部３５からの基地局の情報から、又は、ＧＰＳ信号処理部３６からの情報から、現在の位置情報を取得する。
【００５０】
位置情報取得部４１により、携帯電話端末１が異なる放送エリアに移動されたことが検出されると、番組情報取得部４２により、移動先の番組情報が取得される。変更判定部４３は、位置情報取得部４１からの位置情報と予約番組情報とを比較して、予約時と異なる放送エリアに移動したかどうかを判定し、予約時と異なる放送エリアに移動したと判定したら、移動した放送エリアの番組に予約変更するかどうかの問い合わせを表示部２９に表示し、操作部２８のキー操作により、予約変更をするかどうかを判定する。そして、予約変更を行うと判定されたら、番組比較部４４で、移動先の番組情報を参照して、予約番組と同一の番組が検索され、予約番組と同一の番組があれば、番組予約更新部４５で、予約番組の更新が行われる。このように、本発明の実施形態では、番組予約の更新を行う際に、移動した放送エリアの番組に予約変更するかどうかの問い合わせが表示部２９に表示され、操作部２８のキー操作により、予約変更をするかどうかを選択できる。
【００５１】
図５は、本発明の第１の実施形態の予約変更処理のフローチャートである。図５において、予約リストが読み出され（ステップＳ１０１）、予約リストから、予約が行われているかどうかが判定される（ステップＳ１０２）。予約リストは、図６に示すように、予約番組情報の番号と、予約開始時刻と、予約時間と、予約チャンネルと、番組名と、放送エリアの項目の予約番組情報からなる。図６の予約リストにおいて、番号１、番号２、番号３の３つの予約がされている。番号１の予約は、予約開始時刻が「７月１５日  １９：００」、予約時間が「９０分」、チャンネルが「１５ＣＨ」、番組名が「プロ野球」、放送エリアが「大阪」である。番組２、番組２の内容も図示のとおりのものである。ステップＳ１０２で予約が行われていなければ（ステップＳ１０２のＮｏ）、予約変更処理は終了される。
【００５２】
ステップＳ１０２で予約を行っていると判定されたら（ステップＳ１０２のＹｅｓ）、予約リストから、最初の番号の予約番組情報が取得される（ステップＳ１０３）。
【００５３】
予約番組情報が取得されたら、取得された予約番組情報の放送エリアの項目と、現在の地域とを比較して、予約時と異なる放送エリアに移動したかどうかが判定される（ステップＳ１０４）。
【００５４】
ステップＳ１０４で、予約時と異なる放送エリアに移動していると判定されたら（ステップＳ１０４のＹｅｓ）、予約変更を報知して、予約変更を行うかどうかが判定される。ここで、予約の変更を選択する場合には、予約変更のキー操作が行われる。予約を変更する場合（ステップＳ１０５のＹｅｓ）には、移動した地域の放送エリアの番組情報が取得される（ステップ１０６）。そして、取得した番組情報を検索して、予約している番組と同一の番組があるかどうかが判定される（ステップＳ１０７）。
【００５５】
ステップＳ１０７で、予約している番組と同一の番組があると判定された場合（ステップＳ１０７のＹｅｓ）には、予約番組情報が更新され（ステップＳ１０８）、変更した予約番組情報が報知される（ステップＳ１０９）。そして、次の予約番組情報があるかどうかが判定される（ステップＳ１１０）。
【００５６】
ステップＳ１０７で、予約している番組と同一の番組がないと判定された場合（ステップＳ１０７のＮｏ）には、予約できる番組がないことが報知される（ステップＳ１１１）。そして、ステップＳ１１０で、次の予約番組情報があるかどうかが判定される。
【００５７】
また、ステップＳ１０４で、予約と異なるエリアに移動していないと判定されたら（ステップＳ１０４のＮｏ）、予約番組情報の変更は行われず、そのままステップＳ１１０に行く。ステップＳ１０５で、予約を変更しないが選択された場合（ステップＳ１０５のＮｏ）も、予約番組情報の変更は行われず、そのままステップＳ１１０に行く。
【００５８】
ステップＳ１１０で、次の予約番組情報があると判定されると（ステップＳ１１０のＹｅｓ）、予約リストから次の番号の予約番組情報が取得され（ステップＳ１１２）、ステップＳ１０４にリターンされる。
【００５９】
ステップＳ１０４からステップＳ１１２のループを繰り返していくことにより、予約リストから順次予約番組情報が取得され（ステップＳ１０３、Ｓ１１２）、予約と異なるエリアに移動しているときには、予約を変更するかどうかが判定され（ステップＳ１０４、Ｓ１０５）、予約を変更する場合には、移動先の地域の番組情報から、予約番組情報の変更が行われる（ステップＳ１０６〜Ｓ１０９）。また、予約を変更しない場合には（ステップＳ１０５のＮｏ）、予約番組情報をそのままにすることができる。
【００６０】
ステップＳ１１０で、次の予約番組情報がないと判定された場合には、更新した予約リストが表示されて（ステップＳ１１３）、処理が終了される。
【００６１】
以上説明したように、本発明の第１の実施形態では、異なる放送エリアに移動したら、移動先の放送エリアの番組情報に基づいて、番組予約の更新が行える。このように、番組予約の更新を行う際に、移動した地域の放送エリアの番組に予約変更するかどうかをキー操作により選択できる。このため、必要な番組予約だけを変更することができる。
【００６２】
＜第２の実施形態＞
図７は、本発明の第２の実施形態を示すものである。この実施形態では、番組の変更対象期間が指定でき、この変更対象期間で指定された期間の番組について、番組変更を行うことができる。変更対象期間は、日単位、時間単位で設定できる。例えば、図４（Ａ）に示したような録画予約が行われていた場合、変更対象期間を「７月１７日」に設定すると、７月１７日を予定として録画設定した「ドラマ」の予約番組情報のみが変更対象となる。
【００６３】
図７において、予約リストが読み出され（ステップＳ２０１）、予約リストから、予約が行われているかどうかが判定される（ステップＳ２０２）。ステップＳ２０２で予約が行われていなければ（ステップＳ２０２のＮｏ）、予約変更処理は終了される。
【００６４】
ステップＳ２０２で予約を行っていると判定されたら（ステップＳ２０２のＹｅｓ）、予約リストから、最初の番号の予約番組情報が取得される（ステップＳ２０３）。
【００６５】
次に、７月１５日から７月１７日までというような変更対象期間が指定されているかどうかが判定され（ステップＳ２０４）、変更対象期間が指定されていると判定されたら（ステップＳ２０４のＹｅｓ）、予約番組情報の予約時間と変更対象期間とを比較して、指定した変更対象期間の予約であるかどうかが判定される（ステップＳ２０５）。ステップＳ２０５で、指定した変更対象期間の予約ではないと判定されたら（ステップＳ２０５のＮｏ）、ステップＳ２１２に行く。
【００６６】
ステップＳ２０５で、指定した変更対象期間の予約であると判定されたら（ステップＳ２０５のＹｅｓ）、予約番組情報の放送エリアの項目と、現在の地域とを比較して、予約時と異なる放送エリアに移動したかどうかが判定される（ステップＳ２０６）。
【００６７】
ステップＳ２０６で、予約時と異なる放送エリアに移動していると判定されたら（ステップＳ２０６のＹｅｓ）、予約を変更するかどうかが判定される（ステップＳ２０７）。ここで、予約の変更をする場合には、予約変更のキー操作が行われる。予約の変更する場合（ステップＳ２０７のＹｅｓ）には、移動した放送エリアの番組情報が取得される（ステップＳ２０８）。そして、取得した番組情報を検索して、予約している番組と同一の番組があるかどうかが判定される（ステップＳ２０９）。
【００６８】
ステップＳ２０９で、予約している番組と同一の番組があると判定された場合（ステップＳ２０９のＹｅｓ）には、予約番組情報が更新され（ステップＳ２１０）、変更した予約番組情報が報知される（ステップＳ２１３）。そして、次の予約番組情報があるかどうかが判定される（ステップＳ２１２）。
【００６９】
ステップＳ２０９で、予約している番組と同一の番組がないと判定された場合（ステップＳ２０９のＮｏ）には、予約できる番組がないことが報知される（ステップＳ２１３）。そして、ステップＳ２１２で、次の予約番組情報があるかどうかが判定される。
【００７０】
また、ステップＳ２０６で、予約と異なるエリアに移動していないと判定されたら（ステップＳ２０６のＮｏ）、予約番組情報の変更は行われず、そのままステップＳ２１２に行く。また、ステップＳ２０７で、予約の変更を選択しない場合（ステップＳ２０７のＮｏ）、予約番組情報の変更は行われず、そのままステップＳ２１２に行く。
【００７１】
ステップＳ２１２で、次の予約番組情報があると判定されると（ステップＳ２１２のＹｅｓ）、予約リストから次の番号の予約番組情報が取得され（ステップＳ２１４）、ステップＳ２０４にリターンされる。
【００７２】
ステップＳ２１２で、次の予約番組情報がないと判定された場合には、更新した予約リストが表示されて（ステップＳ２１５）、処理が終了される。
【００７３】
なお、上述の例では、変更対象期間を設定し、予約番組情報のうち変更対象期間内の予約番組情報を変更可能としているが、変更対象除外期間を設定し、予約番組情報のうち変更対象除外期間内の予約番組情報を変更対象から除くようにしても良い。
【００７４】
＜第３の実施形態＞
図８は、本発明の第３に実施形態を示すものである。この実施形態では、更新禁止期間が設定でき、この更新禁止期間では、番組変更ができないようにされている。例えば、「大阪」から「東京」に移動するときには、「名古屋」、「静岡」の放送エリアを介して、「東京」の放送エリアに移動する。この場合、通過中の放送エリアを移動中に予約番組の更新がされることがないようにする必要がある。そこで、本発明の第３の実施形態では、予約更新を行わない期間を設定することができるようにしている。予約更新を行わない期間は、例えば、現在の時刻からの時間で設定できる。
【００７５】
図８において、予約更新を行わない期間を設定するかどうかが判定される（ステップＳ３０１）。予約更新を行わない期間を設定しない場合（ステップＳ３０１のＮｏ）には、ステップＳ３０６に行く。
【００７６】
予約更新を行わない期間を設定する場合（ステップＳ３０１のＹｅｓ）には、更新禁止期間が設定される（ステップＳ３０２）。
【００７７】
予約リストから、更新禁止期間中に予約時間となっている予約番組情報が検索され、更新禁止期間中に予約時間となる予約番組情報について、更新禁止期間中に予約を行うことを示す報知が行われる（ステップＳ３０３）。そして、更新禁止を超えているかどうかが判定される（ステップＳ３０４）。更新禁止期間中なら、更新禁止期間中であることを示す報知が表示され（ステップ３０５）、ステップＳ３０４にリターンされる。ステップＳ３０４、Ｓ３０５のループにより、更新禁止期間中では、予約の変更が禁止される。
【００７８】
ステップＳ３０４で、更新禁止期間中を超えていると判定されると（ステップＳ３０４のＹｅｓ）、予約リストが読み出され（ステップＳ３０６）、予約リストから、予約が行われているかどうかが判定される（ステップＳ３０７）。ステップＳ３０７で予約を行っていると判定されたら（ステップＳ３０７のＹｅｓ）、予約リストから、最初の番号の予約番組情報が取得される（ステップＳ３０８）。ステップＳ３０７で予約を行っていないと判定されたら（ステップＳ３０７のＮｏ）、予約変更処理は終了される。
【００７９】
ステップＳ３０８で、予約番組情報が取得されたら、予約番組情報の放送エリアの項目と、現在の地域とを比較して、予約時と異なる放送エリアに移動したかどうかが判定される（ステップＳ３０９）。
【００８０】
ステップＳ３０９で、予約時と異なる放送エリアに移動していると判定されたら（ステップＳ３０９のＹｅｓ）、予約変更を行うことが報知され、予約を変更するかどうかが判定される（ステップＳ３１０）。ここで、予約の変更を行う場合には、予約設定のキー操作が行われる。予約変更を行う場合（ステップＳ３１０のＹｅｓ）には、移動した放送エリアの番組情報が取得される（ステップＳ３１１）。そして、取得した番組情報を検索して、予約している番組と同一の番組があるかどうかが判定される（ステップＳ３１２）。
【００８１】
ステップＳ３１２で、予約している番組と同一の番組があると判定された場合（ステップＳ３１２のＹｅｓ）には、予約番組情報が更新され（ステップＳ３１３）、変更した予約番組情報が報知される（ステップＳ３１４）。そして、次の予約番組情報があるかどうかが判定される（ステップＳ３１５）。
【００８２】
ステップＳ３１２で、予約している番組と同一の番組がないと判定された場合（ステップＳ３１２のＮｏ）には、予約できる番組がないことが報知される（ステップＳ３１６）。そして、ステップＳ３１５で、次の予約番組情報があるかどうかが判定される。
【００８３】
また、ステップＳ３０９で、予約と異なるエリアに移動していないと判定されたら（ステップＳ３０９のＮｏ）、予約番組情報の変更は行われず、そのままステップＳ３１５に行く。また、ステップＳ３１０で、予約変更しないが選択された場合（ステップＳ３１０のＮｏ）には、予約番組情報の変更は行われず、そのままステップＳ３１５に行く。
【００８４】
ステップＳ３１５で、次の予約番組情報があると判定されると（ステップＳ３１５のＹｅｓ）、予約リストから次の番号の予約番組情報が取得され（ステップＳ３１７）、ステップＳ３０９にリターンされる。
【００８５】
ステップＳ３１５で、次の予約番組情報がないと判定された場合には、更新した予約リストが表示されて（ステップＳ３１８）、処理が終了される。
【００８６】
＜第４の実施形態＞
図９は、本発明の第４の実施形態を示すものである。この実施形態では、移動中には、予約変更処理を行わないようにしている。例えば、「大阪」から「東京」に乗り物で移動するときには、乗り物で移動中に予約番組の更新がされることがないようにする必要がある。そこで、本発明の第４の実施形態では、移動中には予約更新を行わない設定ができるようになっている。移動中かどうかは、例えば、ＧＰＳからの位置情報や、基地局の情報から判定できる。
【００８７】
図９において、移動期間中は予約更新を行わないように設定するかどうかが判定される（ステップＳ４０１）。移動期間中は予約更新を行わないように設定している場合（ステップＳ４０１のＹｅｓ）には、移動していない期間が所定時間以上かどうかが判定される（ステップＳ４０２）。移動していない期間が所定時間以上ではない場合（ステップＳ４０２のＮｏ）には、移動中であると判断でき、この場合には、ステップＳ４０２にリターンされる。ステップＳ４０２のループにより、移動中には、予約番組の変更処理が禁止される。
【００８８】
ステップＳ４０２で、移動していない期間が所定時間以上の場合（ステップＳ４０２のＹｅｓ）には、移動中ではないと判断できる。この場合には、ステップＳ４０３に行く。また、ステップＳ４０１で、移動期間中は予約更新を行わないように設定されていな場合（ステップＳ４０１のＮｏ）にも、ステップＳ４０３に行く。
【００８９】
ステップＳ４０３で、予約リストが読み出され（ステップＳ４０３）、予約リストから、予約が行われているかどうかが判定される（ステップＳ４０４）。予約が行われていなければ（ステップＳ４０４のＮｏ）、予約変更処理が終了される。
【００９０】
ステップＳ４０４で予約を行っていると判定されたら（ステップＳ４０４のＹｅｓ）、予約リストから、最初の予約番組情報が取得される（ステップＳ４０５）。
【００９１】
ステップＳ４０５で、予約番組情報が取得されたら、予約番組情報の放送エリアの項目と、現在の地域とを比較して、予約時と異なる放送エリアに移動したかどうかが判定される（ステップＳ４０６）。
【００９２】
ステップＳ４０６で、予約時と異なる放送エリアに移動していると判定されたら（ステップＳ４０６のＹｅｓ）、予約変更を行うことが報知され、予約を変更するかどうかが判定される（ステップＳ４０７）。ここで、予約の変更を行う場合には、予約変更のキー操作が行われる。予約を変更する場合（ステップＳ４０７のＹｅｓ）には、移動した地域の番組情報が取得される（ステップＳ４０８）。そして、取得した番組情報を検索して、予約している番組と同一の番組があるかどうかが判定される（ステップＳ４０９）。
【００９３】
ステップＳ４０９で、予約している番組と同一の番組があると判定された場合（ステップＳ４０９のＹｅｓ）には、予約番組情報が更新され（ステップＳ４１０）、変更した予約番組情報が報知される（ステップＳ４１１）。そして、次の予約番組情報があるかどうかが判定される（ステップＳ４１２）。
【００９４】
ステップＳ４０９で、予約している番組と同一の番組がないと判定された場合（ステップＳ４０９のＮｏ）には、予約できる番組がないことが報知される（ステップＳ４１３）。そして、ステップＳ４１２で、次の予約番組情報があるかどうかが判定される。
【００９５】
ステップＳ４０６で、予約変更しないが選択された場合（ステップＳ４０６のＮｏ）には、予約番組情報の変更は行われず、そのままステップＳ４１２に行く。また、ステップＳ４０７で、予約と異なるエリアに移動していないと判定されたら（ステップＳ４０７のＮｏ）、予約番組情報の変更は行われず、そのままステップＳ４１２に行く。
【００９６】
ステップＳ４１２で、次の予約番組情報があると判定されると（ステップＳ４１２のＹｅｓ）、予約リストから次の番号の予約番組情報が取得され（ステップＳ４１４）、ステップＳ４０６にリターンされる。
【００９７】
ステップＳ４１２で、次の予約番組情報がないと判定された場合には、更新した予約リストが表示されて（ステップＳ４１５）、処理が終了される。
【００９８】
＜第５の実施形態＞
図１０は、本発明の第５の実施形態の予約変更処理のフローチャートを示すものである。この実施形態では、移動予定の地域、日時の情報を取得し、この移動予定の地域や日時の情報を使って、予約変更処理を行っている。すなわち、カレンダーやスケジュール情報から移動予定の地域、日時を取得し、この移動予定の地域、日時を使って、予約変更処理を行っている。
【００９９】
図１１に示すように、本発明の第５の実施形態では、携帯電話端末１にカレンダーやスケジュール機能が設けられている。カレンダー画面には、図１１（Ａ）に示すように、スケジュールのあることを示す表示が行われる。スケジュール画面には、図１１（Ｂ）に示すように、スケジュールの詳細が表示される。
【０１００】
本発明の第５の実施形態では、このカレンダーやスケジュール情報が抽出される。このカレンダーやスケジュール情報から、移動日時と、移動場所がわかる。そして、このカレンダーやスケジュール情報から得られる移動日時と移動場所とを用いて、番組予約の変更処理が行われる。
【０１０１】
図１０において、カレンダーやスケジュール情報から移動予定が取得される（ステップＳ５０１）。このカレンダーやスケジュール情報の移動予定から、日時と、移動場所の情報とが取得される。
【０１０２】
予約リストが読み出され（ステップＳ５０２）、予約リストから、予約が行われているかどうかが判定される（ステップＳ５０３）。予約が行われていなければ（ステップＳ５０３のＮｏ）、予約変更処理が終了される。
【０１０３】
ステップＳ５０３で予約を行っていると判定されたら（ステップＳ１０２のＹｅｓ）、予約リストから、最初の番号の予約番組情報が取得される（ステップＳ５０４）。
【０１０４】
予約番組情報が取得されたら、取得された予約番組情報の予約時間及び地域の項目と、移動予定から得られた日時と移動場所の情報とを比較して、移動予定先で予約が実行されるかどうかが判定される（ステップＳ５０５）。移動予定先で予約が実行されない場合（ステップＳ５０５のＮｏ）には、ステップＳ５１２に行く。
【０１０５】
ステップＳ５０５で、移動予定先で予約が実行される場合（ステップＳ５０５のＹｅｓ）には、移動予定先と現在地とを比較して、移動予定先に移動したかどうかが判定される（ステップＳ５０６）。ステップＳ５０６で、移動予定先の場所になったと判定されたら（ステップＳ５０６のＹｅｓ）、予約を変更するかどうかが判定される（ステップＳ５０７）。予約を変更する場合には、ここで、予約変更のキー操作が行われる。予約を変更する場合（ステップＳ５０７のＹｅｓ）には、移動した地域の番組情報が取得される（ステップ５０８）。そして、取得した番組情報を検索して、予約している番組と同一の番組があるかどうかが判定される（ステップＳ５０９）。
【０１０６】
ステップＳ５０９で、予約している番組と同一の番組があると判定された場合（ステップＳ５０９のＹｅｓ）には、予約番組情報が更新され（ステップＳ５１０）、変更した予約番組情報が報知される（ステップＳ５１１）。そして、次の予約番組情報があるかどうかが判定される（ステップＳ５１２）。
【０１０７】
ステップＳ５０９で、予約している番組と同一の番組がないと判定された場合（ステップＳ５０９のＮｏ）には、予約できる番組がないことが報知される（ステップＳ５１３）。そして、ステップＳ５１２で、次の予約番組情報があるかどうかが判定される。
【０１０８】
ステップＳ５０５で、移動予定先で予約が実行されない場合には、予約番組情報の変更は行われず、そのままステップＳ５１２に行く。また、ステップＳ５０６で、移動予定先に移動していないと判定されたら（ステップＳ５０６のＮｏ）、予約番組情報の変更は行われず、そのままステップＳ５１２に行く。
【０１０９】
ステップＳ５１２で、次の予約番組情報があると判定されると（ステップＳ５１２のＹｅｓ）、予約リストから次の番号の予約番組情報が取得され（ステップＳ５１４）、ステップＳ５０５にリターンされる。
【０１１０】
ステップＳ５１２で、次の予約番組情報がないと判定された場合には、更新した予約リストが表示されて（ステップＳ５１５）、処理が終了される。
【０１１１】
なお、この例では、カレンダーやスケジュール情報から、移動日時と、移動場所がわかったら、このカレンダーやスケジュール情報から得られる移動日時と移動場所を用いて、移動先で、番組予約の変更処理を行っているが、移動前に、移動先の番組情報を取得して、番組予約の変更処理を行うことも可能である。
【０１１２】
本発明は、上述した実施形態に限定されるものではなく、本発明の要旨を逸脱しない範囲内で様々な変形や応用が可能である。
【０１１３】
また、ソースとなるプログラムは、フレキシブルディスク、光磁気ディスク、ＲＯＭ、ＣＤ−ＲＯＭ等の可搬媒体等のコンピュータ読み取り可能な記録媒体で提供される。また、ソースとなるプログラムは、コンピュータシステムから、伝送媒体を介して、あるいは、伝送媒体中の伝送波により他のコンピュータシステムに伝送されても良い。ここで、プログラムを伝送する「伝送媒体」は、インターネット等のネットワーク（通信網）や電話回線等の通信回線（通信線）のように情報を伝送する機能を有する媒体のことをいう。また、ソースとなるプログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【０１１４】
【図１】本発明の第１の実施形態の携帯電話端末の外観構成を示す正面図及び背面図である。
【図２】本発明の第１の実施形態の携帯電話端末の内部構成を示すブロック図である。
【図３】本発明の第１の実施形態の説明図である。
【図４】本発明の第１の実施形態の番組予約変更処理の説明図である。
【図５】本発明の第１の実施形態の番組予約変更処理の説明に用いるフローチャートである。
【図６】本発明の第１の実施形態の番組予約変更処理における予約リストの説明図である。
【図７】本発明の第２の実施形態の番組予約変更処理の説明に用いるフローチャートである。
【図８】本発明の第３の実施形態の番組予約変更処理の説明に用いるフローチャートである。
【図９】本発明の第４の実施形態の番組予約変更処理の説明に用いるフローチャートである。
【図１０】本発明の第５の実施形態の番組予約変更処理の説明に用いるフローチャートである。
【図１１】本発明の第５の実施形態におけるカレンダー機能及びスケジュール機能の説明図である。
【符号の説明】
【０１１５】
１：携帯電話端末
１１：マイクロホン
１２：スピーカ
１３：液晶ディスプレイ
１４：テンキー
１５：カーソルキー
１６：決定キー
１７ａ〜１７ｄ：機能キー
１８：カメラ部
１９：アンテナ
２１：制御部
２２：プログラムメモリ
２３：テレビジョンアプリケーションプログラム
２４：汎用メモリ
２５：予約番組情報
２６：録画データ
２７：カレンダー情報
２８：操作部
２９：表示部
３０：表示処理部
３１：音声処理部
３２：音声入力部
３３：音声出力部
３５：通信部
３６：信号処理部
３７：ＴＶチューナ
３９：通信制御部
４１：位置情報取得部
４２：番組情報取得部
４３：変更判定部
４４：番組比較部
４５：番組予約更新部
４６：ＴＶチューナ制御部
４７：予約実行部
４８：時計部
５１ａ，５１ｂ：放送局
５２ａ，５２ｂ：基地局
【図１】
0005142376.tif 000002
【図２】
0005142376.tif 000003
【図３】
0005142376.tif 000004
【図４】
0005142376.tif 000005
【図５】
0005142376.tif 000006
【図６】
0005142376.tif 000007
【図７】
0005142376.tif 000008
【図８】
0005142376.tif 000009
【図９】
0005142376.tif 000010
【図１０】
0005142376.tif 000011
【図１１】
0005142376.tif 000012